(57)【要約】      （修正有）【課題】高温になったグリル扉や透明窓への手や指の接触を抑制、防止するガード部材を備え、かつ、グリル扉の取っ手を把持したり、調理を行ったり、操作盤の操作を行ったりする際にガード部材が邪魔になることない加熱調理器を提供する。【解決手段】グリル庫と、グリル庫の開口を開閉するグリル扉４２とを備えた加熱調理器において、（ａ）グリル扉の前方にグリル扉を覆うように配設され、使用者らがグリル扉に触れることを抑制するガード部材本体６１と、ガード部材本体の上部に形成され、ガード部材本体をグリル扉に係止するガード部材側係合部６２と、を有するガード部材６０を備え、（ｂ）グリル扉は、その上部に、上方に向かって突出するグリル扉側突出係合部４４を備え、ガード部材側係合部６２に、グリル扉側突出係合部が嵌入して係合することにより、ガード部材６０がグリル扉４２に係止されるように構成する。【選択図】図２
2019105396.tif 000002
【特許請求の範囲】
【請求項１】
前方に開口を備え、被加熱物を前記開口から内部に収納するグリル庫と、前記グリル庫の前方に配置され、前記開口を開閉するグリル扉とを備えた加熱調理器であって、
（ａ）前記グリル扉の前方に前記グリル扉を覆うように配設され、使用者らが前記グリル扉に触れることを抑制するガード部材本体と、前記ガード部材本体の上部に形成され、前記ガード部材本体を前記グリル扉に係止するガード部材側係合部と、を有するガード部材を備え、
（ｂ）前記グリル扉は、その上部に、上方に向かって突出するように形成されたグリル扉側突出係合部を備え、
前記ガード部材側係合部に、前記グリル扉側突出係合部が係合することにより、前記ガード部材が前記グリル扉に係止されるように構成されていること
を特徴とする加熱調理器。
【請求項２】
前記ガード部材側係合部は、平面視で、少なくとも主要部が前記グリル扉の主面と略平行に左右方向に延びる左右方向辺と、前記左右方向辺の両端部から前方に延びる一対の前後方向辺とを備え、
前記グリル扉側突出係合部が、平面視で、前記ガード部材側係合部を構成する前記左右方向辺と、前記一対の前後方向辺と、前記ガード部材本体とに囲まれた領域に挿入されることにより、前記ガード部材が前記グリル扉に係止されるように構成されていること
を特徴とする請求項１記載の加熱調理器。
【請求項３】
前記グリル扉側突出係合部は、
（ａ）前記ガード部材側係合部の前記一対の前後方向辺の間に挿入される途中の挿入途中状態においては、前記一対の前後方向辺を、互いに離間するように弾性変形させる干渉部を備えるとともに、
（ｂ）前記グリル扉側突出係合部が前記一対の前後方向辺の間に挿入された後の挿入完了状態においては、弾性により形状復帰した状態の前記一対の前後方向辺を収容保持する収容保持部を備えていること
を特徴とする請求項２記載の加熱調理器。
【請求項４】
前記グリル扉の上部に、前記左右方向辺が嵌入する左右方向辺嵌入部を備えていることを特徴とする請求項２または３記載の加熱調理器。
【請求項５】
前記ガード部材本体と、前記ガード部材側係合部とが、金属線材により一体に形成されていることを特徴とする請求項１〜４のいずれかに記載の加熱調理器。
【請求項６】
前記ガード部材と前記グリル扉の前面との離間距離の減少を牽制するスペーサを備えていることを特徴とする請求項１〜５のいずれかに記載の加熱調理器。
【発明の詳細な説明】
【技術分野】
【０００１】
本発明は、加熱調理器に関し、詳しくは、グリルを備え、前面にグリル庫の開閉を行うためのグリル扉を備えた加熱調理器に関する。
【背景技術】
【０００２】
加熱調理器の中には、肉や魚などの被調理物を焼いたりする調理に用いられるグリルを備えた加熱調理器がある。そして、グリルを備えたガスコンロなどの加熱調理器においては、前面にグリルを構成するグリル庫の開閉を行うためのグリル扉を備えたものが一般的である。
【０００３】
このような加熱調理器の場合、グリル調理が行われると、グリル庫内の加熱手段によりグリル扉が加熱されて高温になるため、使用者らがグリル扉に触れると熱さに驚ろかされる場合があるばかりでなく、火傷をするおそれもある。
【０００４】
そのため、グリル扉や、グリル庫内ののぞき窓の前に、ガード部材や保護部材を配設するようにした加熱調理器が提案されている。
【０００５】
特許文献１には、線材または棒材から構成され、のぞき窓の前方を覆うガード体を備えるグリル（加熱調理器）が開示されている。そして、この特許文献１の加熱調理器において、ガード体はグリル扉の取っ手に取り付けられるように構成されている。
【０００６】
また、特許文献２には、グリル扉を覆う保護装置が、係止部を備え、この係止部がトッププレートの前端部に係止されるように構成された加熱調理器が開示されている。
【０００７】
さらに、特許文献３には、グリル扉を覆う保護装置が、係止部を備え、この係止部がガスコンロ前面の左右の操作盤に係止されるように構成された加熱調理器が開示されている。
【０００８】
そして、上記特許文献１〜３に記載された加熱調理器は、いずれも、グリル扉の前面がガード体、あるいは、保護装置によって覆われていることから、高温になるグリル扉や透明窓への、使用者の手や指の接触が抑制、防止され、調理の際の安全性や信頼性、快適性などが向上する点で有意義である。
【先行技術文献】
【特許文献】
【０００９】
【特許文献１】特許５１００４４０号公報
【特許文献２】特開２０００−３４６３７６号公報
【特許文献３】特開２０００−３５６３５５号公報
【発明の概要】
【発明が解決しようとする課題】
【００１０】
しかしながら、上記特許文献１に記載された加熱調理器においては、ガード体はグリル扉の取っ手に取り付けられるので、使用者がグリル扉の取っ手を把持する際に、ガード体が邪魔になり、グリル扉の開閉に支障が出るおそれがある。
【００１１】
また、特許文献２に記載された加熱調理器においては、グリル扉を覆う保護装置に設けられた係止部がトッププレートの前端部に係止されるように構成されているので、コンロバーナを用いて調理を行う際に、係止部が邪魔になるおそれがある。
【００１２】
また、特許文献３に記載された加熱調理器においては、グリル扉を覆う保護装置に設けられた係止部が加熱調理器の前面の左右の操作盤に係止されるように構成されているので、操作盤を操作する際に、係止部が邪魔になり、操作盤の操作に支障が出るおそれがある。
【００１３】
したがって、上述のようなガード体や保護装置を備えた加熱調理器であって、グリル扉の開閉や、調理操作、あるいは操作盤の操作などを円滑に行うことが可能な加熱調理器が期待されているのが実情である。
【００１４】
本発明は、上記の課題を解決するものであり、使用時に高温になるグリル扉や透明窓への使用者の手や指の接触を抑制、防止するためのガード部材を備え、かつ、使用者がグリル扉の取っ手を把持したり、調理を行ったり、操作盤の操作を行ったりする際にガード部材が邪魔になることが抑制された、使い勝手のよい加熱調理器を提供することを目的とする。
【課題を解決するための手段】
【００１５】
上記の目的を達成するために、本発明の加熱調理器は、
前方に開口を備え、被加熱物を前記開口から内部に収納するグリル庫と、前記グリル庫の前方に配置され、前記開口を開閉するグリル扉とを備えた加熱調理器であって、
（ａ）前記グリル扉の前方に前記グリル扉を覆うように配設され、使用者らが前記グリル扉に触れることを抑制するガード部材本体と、前記ガード部材本体の上部に形成され、前記ガード部材本体を前記グリル扉に係止するガード部材側係合部と、を有するガード部材を備え、
（ｂ）前記グリル扉は、その上部に、上方に向かって突出するように形成されたグリル扉側突出係合部を備え、
前記ガード部材側係合部に、前記グリル扉側突出係合部が係合することにより、前記ガード部材が前記グリル扉に係止されるように構成されていること
を特徴としている。
【００１６】
本発明の加熱調理器においては、
前記ガード部材側係合部は、平面視で、少なくとも主要部が前記グリル扉の主面と略平行に左右方向に延びる左右方向辺と、前記左右方向辺の両端部から前方に延びる一対の前後方向辺とを備え、
前記グリル扉側突出係合部が、平面視で、前記ガード部材側係合部を構成する前記左右方向辺と、前記一対の前後方向辺と、前記ガード部材本体とに囲まれた領域に挿入されることにより、前記ガード部材が前記グリル扉に係止されるように構成されていることが好ましい。
【００１７】
また、前記グリル扉側突出係合部は、
（ａ）前記ガード部材側係合部の前記一対の前後方向辺の間に挿入される途中の挿入途中状態においては、前記一対の前後方向辺を、互いに離間するように弾性変形させる干渉部を備えるとともに、
（ｂ）前記グリル扉側突出係合部が前記一対の前後方向辺の間に挿入された後の挿入完了状態においては、弾性により形状復帰した状態の前記一対の前後方向辺を収容保持する収容保持部を備えていること
が好ましい。
【００１８】
また、前記グリル扉の上部に、前記左右方向辺が嵌入する左右方向辺嵌入部を備えていることが好ましい。
【００１９】
また、前記ガード部材本体と、前記ガード部材側係合部とが、金属線材により一体に形成されていることが好ましい。
【００２０】
また、前記ガード部材と前記グリル扉の前面との離間距離の減少を牽制するスペーサを備えていることが好ましい。
【発明の効果】
【００２１】
本発明の加熱調理器は、上述のように構成されており、（ａ）グリル扉の前方にグリル扉を覆うように配設され、使用者らがグリル扉に触れることを抑制するガード部材本体と、ガード部材本体の上部に形成されたガード部材側係合部とを有するガード部材を備え、（ｂ）グリル扉は、その上部に、上方に向かって突出するように形成されたグリル扉側突出係合部を備え、ガード部材側係合部に、グリル扉側突出係合部が嵌入して係合することにより、ガード部材がグリル扉に係止されるように構成されているので、使用時に高温になるグリル扉への手や指の接触が抑制、防止され、かつ、使用者がグリル扉の取っ手を把持する際に、ガード部材が邪魔になることがなく、また、調理を行う際や、操作盤の操作を行う際にもガード部材が邪魔になることのない、使い勝手の良好な加熱調理器を提供することが可能になる。
【００２２】
すなわち、ガード部材本体の上部に形成されたガード部材側係合部と、グリル扉の上部に形成されたグリル扉側突出係合部とを係合させることにより、ガード部材がグリル扉に直接に取り付けられるため、グリル扉の取っ手を把持する際や、調理を行う際などにおいてガード部材が邪魔になることがなく、使い勝手の良好な加熱調理器を提供することが可能になる。
【００２３】
また、ガード部材側係合部が、平面視で、主要部がグリル扉の主面と略平行に左右方向に延びる左右方向辺と、左右方向辺の両端部から前方に延びる一対の前後方向辺とを備え、グリル扉側突出係合部が、平面視で、ガード部材側係合部を構成する左右方向辺と、一対の前後方向辺と、ガード部材本体とに囲まれた領域に挿入されることにより、ガード部材がグリル扉に係止されるように構成した場合、複雑な構造を必要とせずに、ガード部材を確実にグリル扉に確実に係止することが可能になり、本発明をより実効あらしめることができる。
【００２４】
また、グリル扉側突出係合部が、（ａ）ガード部材側係合部の一対の前後方向辺の間に挿入される途中の挿入途中状態においては、一対の前後方向辺を、互いに離間するように弾性変形させる干渉部を備えるとともに、（ｂ）一対の前後方向辺の間に挿入された後の挿入完了状態においては、弾性により形状復帰した状態の前記一対の前後方向辺を収容保持する収容保持部を備えた構成とした場合、ガード部材側係合部の弾性を利用して、ガード部材の取り付けを容易に行うことができ、取り付が完了したガード部材が、グリル扉から不用意に外れることを抑制することができる。
【００２５】
また、グリル扉の上部に、ガード部材側係合部の左右方向辺が嵌入する左右方向辺嵌入部を備えた構成とした場合、ガード部側係合部とクリル扉側突出係合部が係合した状態において、左右方向辺がグリル扉上部の左右方向辺嵌入部に嵌入することで、ガード部材側係合部の前後方向の位置が適正に維持されることになり、カバー部材の取り付け信頼性を向上させることができる。
【００２６】
また、ガード部材本体と、ガード部材側係合部とを、金属線材により一体に形成するようにした場合、製造コストの低減を図ることが可能になる。
【００２７】
ガード部材とグリル扉の前面との離間距離の減少を牽制するスペーサを備えるようにした場合、ガード部材を後方に移動させようとする力、すなわち、ガード部材をグリル扉に近付けようとする力がガード部材に作用した場合にも、ガード部材とグリル扉との離間距離が適正に維持されることになり、信頼性を向上させることができる。
【図面の簡単な説明】
【００２８】
【図１】本発明の実施形態にかかる加熱調理器の斜視図である。
【図２】本発明の実施形態にかかる加熱調理器が備えるグリル扉にガード部材を装着した状態を示す斜視図である。
【図３】本発明の実施形態にかかる加熱調理器が備えるグリル扉にガード部材を装着した状態を示す図であって、（ａ）は平面図、（ｂ）は正面図である。
【図４】図３（ａ）におけるIV−IV線断面図であり、（ａ）はガード部材の挿入途中状態、（ｂ）はガード部材の挿入完了状態を示す図である。
【発明を実施するための形態】
【００２９】
以下、本発明の実施形態を示して、その特徴とするところをさらに詳しく説明する。
【００３０】
［実施形態］
本実施形態では、加熱調理器として、グリルが組み込まれたグリル付きガスコンロを例にとって説明する。
【００３１】
＜グリル付きガスコンロの基本構造＞
本発明の一実施形態にかかる加熱調理器Ａは、グリル付きガスコンロであって、コンロ部１０１とグリル部１０４を備えたビルトイン型のガスコンロである。以下説明を行う。
【００３２】
この実施形態にかかる加熱調理器（グリル付きガスコンロ）Ａは、図１に示すように、高火力バーナ１（１ａ）、１（１ｂ）、および小バーナ１（１ｃ）の３つのバーナ（コンロバーナ）を備えている。
【００３３】
また、トッププレート１２上には、各バーナ（コンロバーナ）１の上部に載置される鍋などの被加熱物（調理容器）（図示せず）を受け止め、支持するための五徳５１が載置されている。
【００３４】
また、グリル付きガスコンロＡは、前方に開口４１ａを備え、被加熱物を開口４１ａから内部に収納する箱状に構成されたグリル庫４１と、グリル庫４１の前方に配置され、開口４１ａを開閉するグリル扉４２とを備えている。
【００３５】
また、グリル扉４２には、グリル庫４１内を透視するための、強化ガラスがはめ込まれたのぞき窓４３（図２）が形成されている。
【００３６】
さらに、各コンロバーナ１（１ａ、１ｂ、１ｃ）には、例えば、鍋やフライパンなどの調理容器（図示せず）の底に接触してその温度を検出するためのサーミスタからなる温度検出体（鍋底温度センサ）９が、コンロバーナ１（１ａ、１ｂ、１ｃ）の中央を貫通するように配設されている。
【００３７】
そして、この温度検出体（鍋底温度センサ）９を備えたコンロバーナ１（１ａ、１ｂ、１ｃ）により、炊飯、湯沸かし、揚げものなどの温調調理を行うことができるように構成されている。
【００３８】
また、加熱調理器Ａの前側面の操作盤には、上述のコンロバーナ１（１ａ、１ｂ、１ｃ）とグリルバーナ（図示せず）の点火および消火、火力調節と各種の設定とを指令する手動操作部３４（図１参照）が設けられている。
【００３９】
なお、グリル部１０４は、箱状のグリル庫４１（ただし、内部は図示せず）内に、魚などの被調理物を載置するための載置部として機能する焼き網（図示せず）を設けた構成とされている。また、グリル庫４１内には、１つの上側バーナ（図示せず）と２つの下側バーナ（図示せず）が配設されている。
【００４０】
上記手動操作部３４は、コンロバーナ１（高火力バーナ１ａ、１ｂ、小バーナ１ｃ）のそれぞれに対して各別に点火・消火や火力調節を指令するための３つのバーナ操作部２１（２１ａ、２１ｂ、２１ｃ）、コンロバーナ１（１ａ、１ｂ、１ｃ）の温調機能（湯沸かし、揚げ物、炊飯）とタイマ機能についての操作および表示を行うコンロバーナ用の付加機能操作・表示部３２、グリルバーナ（上側バーナと２つの下側バーナ）の火力調節などを行うグリルバーナ操作部２２、グリルバーナの作動状態の切り換えを指令するグリル用の付加機能操作・表示部３３などを備えている。
【００４１】
なお、器具本体１０の前面右上に配置された電源スイッチ２４をＯＮにした後に、上記高火力バーナ操作部２１ａ、高火力バーナ操作部２１ｂ、および小バーナ操作部２１ｃを押し込み操作することにより、高火力バーナ１ａ、高火力バーナ１ｂ、および小バーナ１ｃが点火するとともに、各バーナ操作部２１（２１ａ、２１ｂ、２１ｃ）が内部から飛び出して、火力調節を行うことができるように構成されている。
【００４２】
また、各バーナ操作部２１（２１ａ、２１ｂ、２１ｃ）を再度押し込むことにより、高火力バーナ１ａ、高火力バーナ１ｂ、小バーナ１ｃの消火動作が実行されるとともに、各バーナ操作部２１（２１ａ、２１ｂ、２１ｃ）が器具本体１０の内部に収納されるように構成されている。
【００４３】
なお、このような操作部の構成は周知であるので詳細な説明は省略する。
【００４４】
＜調理容器の特徴的構成＞
本実施形態にかかる加熱調理器（グリル付きガスコンロ）Ａは、グリル扉４２の前方を覆い、使用者らがグリル扉４２に触れることを抑制、防止するガード部材６０を備えている。
【００４５】
そして、ガード部材６０は、グリル扉４２の前方に、グリル扉４２を覆うように配設され、使用者らがグリル扉４２に触れることを抑制、防止するガード部材本体６１と、ガード部材本体６１の上部に形成され、ガード部材本体６１をグリル扉４２に係止するためのガード部材側係合部６２とを有している（図２、図３参照）。
【００４６】
なお、図２、図３に示すように、ガード部材側係合部６２は、グリル扉４２の前方に位置してグリル扉４２を覆うように配設されたガード部材本体６１の上部に配設されている。
【００４７】
また、グリル扉４２の上部（上端）には、上方に向かって突出するように形成されたグリル扉側突出係合部４４が設けられている。
【００４８】
そして、ガード部材側係合部６２に、グリル扉側突出係合部４４が嵌入して係合することにより、ガード部材６０がグリル扉４２に係止されるように構成されている。
【００４９】
本実施形態にかかる加熱調理器Ａにおいては、上述のように、ガード部材本体６１の上部に形成されたガード部材側係合部６２と、グリル扉４２の上部に形成されたグリル扉側突出係合部４４とを係合させることにより、ガード部材６０がグリル扉４２に直接に取り付けられるように構成されているため、使用者がグリル扉４２の取っ手を把持する際、調理容器を用いてトッププレート１２上で調理を行う際、バーナ１の点火、消火、火力調節、各種の設定などの操作（操作盤の操作）を行う際などに、ガード部材が邪魔になることのない、使い勝手の良好な加熱調理器を提供することが可能になる。
【００５０】
次に、ガード部材側係合部６２を含むガード部材６０の構成について具体的に説明する。
【００５１】
本実施形態にかかる加熱調理器Ａにおいて、ガード部材６０の主体であるガード部材本体６１は、図３に示すように、金属線材からなる複数の横辺（横棒）６７と、上下方向に延びる一対の縦辺（縦棒）６８（６８ａ、６８ｂ）とを備えており、各横辺６７の左右端が一対の縦辺６８（６８ａ、６８ｂ）に接続されている。
【００５２】
すなわち、複数の横辺６７は、水平、かつ、グリル扉４２の前面と略平行に、上下方向に所定の間隔をおいて配設されているとともに、横辺６７の左右端が、上下方向に延びる一対の縦辺６８（６８ａ、６８ｂ）により一体に結合されている。つまり最も上方に位置する横辺６７ａと最も下方に位置する横辺６７ｂと、一対の縦辺６８（６８ａ、６８ｂ）が枠体となるように構成されている。
【００５３】
なお、複数の横辺（横棒）６７と縦辺（縦棒）６８とはプロジェクション溶接によって接合されており、これによって、縦辺（縦棒）６８間に複数の横辺（横棒）６７が懸架された構造体である、ガード部材６０の主体となるガード部材本体６１が形成されている。
【００５４】
また、上述のガード部材側係合部６２は、弾性を有する金属線材により、ガード部材本体６１と一体に構成されている（図２、図３参照）。
【００５５】
このガード部材側係合部６２は、平面視で、少なくとも主要部がグリル扉４２の主面と略平行に左右方向に延びる左右方向辺６５と、左右方向辺６５の両端部から前方に延びる一対の前後方向辺６６（６６ａ、６６ｂ）とを備えている。
【００５６】
なお、左右方向辺６５と、一対の前後方向辺６６（６６ａ、６６ｂ）とは、ガード部材本体６１を構成する一対の縦辺（縦棒）６８（６８ａ、６８ｂ）から延設されたものであり、ガード部材本体６１とガード部材側係合部６２とは同一の金属線材により一体に形成されている。
【００５７】
そして、グリル扉側突出係合部４４が、平面視で、ガード部材側係合部６２を構成する前記左右方向辺６５と、一対の前後方向辺６６（６６ａ、６６ｂ）と、ガード部材本体６１とに囲まれた領域に挿入される、言い換えると、ガード部材側係合部６２がグリル扉側突出係合部４４に外嵌されることにより、ガード部材６０がグリル扉４２に係止されるように構成されている。
【００５８】
上述のように、グリル扉側突出係合部４４が、左右方向辺６５と、一対の前後方向辺６６（６６ａ、６６ｂ）と、ガード部材本体６１とに囲まれた領域に挿入されることで、ガード部材６０がグリル扉４２に係止されるように構成することにより、複雑な構造を必要とせずに。ガード部材６０を、容易かつ確実にグリル扉４２に係止することが可能になり、本発明をより実効あらしめることができる。
【００５９】
また、上述のように、ガード部材本体６１とガード部材側係合部６２とを、同一の金属線材により一体に形成するようにした場合、製造コストを低減することができる。
【００６０】
さらに、本実施形態の加熱調理器Ａにおいて、グリル扉側突出係合部４４は、
（ａ）図４（ａ）に示すように、ガード部材側係合部６２の一対の前後方向辺６６（６６ａ、６６ｂ）の間に挿入される際の状態である挿入途中状態において、一対の前後方向辺６６（６６ａ、６６ｂ）と当接し、両者が互いに離間するように弾性変形させる干渉部４６を備えているとともに、
（ｂ）図４（ｂ）に示すように、グリル扉側突出係合部４４が一対の前後方向辺６６（６６ａ、６６ｂ）の間に挿入された後の挿入完了状態においては、弾性により形状復帰した状態の一対の前後方向辺６６（６６ａ、６６ｂ）を収容保持する収容保持部４７を備えている。
なお、図４（ａ）、（ｂ）は、右側の干渉部４６を示している。
【００６１】
左側の干渉部４６（図２）は、左方向に突出した突出部であり、右側の干渉部４６（図２、図４）は、右方向に突出した突出部である。
このように互いに逆方向に突出した突出部である一対の干渉部４６の作用により、上記の挿入途中状態においては、一対の前後方向辺６６（６６ａ、６６ｂ）が、互いに離間するように弾性変形することになる。
【００６２】
そして、一対の収容保持部４７は、一対の前後方向辺６６（６６ａ、６６ｂ）が収容、保持される凹部として構成されており、収容保持部４７は、それぞれ、干渉部としての突起を備えていないので、一対の前後方向辺６６（６６ａ、６６ｂ）が、干渉部４６を超えて、収容保持部４７に至ると、弾性変形状態から元の状態に形状復帰し、その状態で収容保持部４７に収容保持されることになる（図４（ｂ））。
【００６３】
上述の構成とした場合、ガード部材側係合部６２の弾性を利用して、ガード部材６０の取り付けを容易に行うことが可能になり、取り付けが完了したガード部材６０が、グリル扉４２から不用意に外れることを抑制して、信頼性を向上させることができる。
【００６４】
さらに、本実施形態にかかる加熱調理器Ａは、グリル扉４２の上部に、挿入完了状態においてガード部材６０の左右方向辺６５が嵌入する左右方向辺嵌入部４８を備えている。なお、左右方向辺嵌入部４８は、ガード部材６０の左右方向辺６５に対応する平面形状を有しており、ガード部材６０の左右方向辺６５が左右方向辺嵌入部４８に嵌入した後は、左右方向辺６５が平面視で、前方側に位置ずれすることなく、所定の位置に確実に保持される。
【００６５】
そして、左右方向辺６５が所定の位置に確実に保持されることにおり、ガード部材側係合部６２の前後方向の位置、ひいては、ガード部材６０の前後方向の位置が適正に維持されることになる。
【００６６】
また、本実施形態にかかる加熱調理器Ａは、ガード部材６０とグリル扉４２の前面４２ａとの離間距離の減少を牽制するスペーサ７０を備えている。
なお、本実施形態では、グリル扉４２の前面４２ａには、強化ガラスからなるのぞき窓４３が設けられているとともに、グリル扉４２の前面４２ａにおけるのぞき窓４３より下側の領域、すなわち図２および図３（ｂ）において、符号４２ａで示している領域は樹脂により形成されている。
【００６７】
本実施形態において、スペーサ７０は、例えば金属の線材を口の字状に形成して、その上端７０ａと下端７０ｂとを後方、すなわち、グリル扉４２に近づく方向に屈曲させた構造を備えている。
【００６８】
そして、グリル扉４２に近づく方向に屈曲させた上端側の横片７０ｃと下端側の横片７０ｄが、グリル扉４２の前面４２ａと当接することにより、ガード部材本体６１とグリル扉４２との間に所定の間隙が確保されるように構成されている。
本実施形態では、スペーサ７０の下端側の横片７０ｄは、グリル扉４２の前面４２ａにおけるのぞき窓４３より下側の樹脂により形成された領域に当接するように構成されている。
なお、スペーサ７０は、プロジェクション溶接によって横辺（横棒）に止着されている（図３参照）。
【００６９】
また、本実施形態にかかる加熱調理器Ａにおいて、グリル扉４２の前方の左右において上下方向に延びる一対の縦辺（縦棒）６８（６８ａ、６８ｂ）の下端は、後方に屈曲しており、後方に屈曲した縦辺６８（６８ａ、６８ｂ）の下端に懸架された最下段の横辺６７（６７ａ）は、グリル扉４２の前面４２ａと当接するように構成されている。なお、本実施形態では、最下段の横辺６７（６７ａ）は、グリル扉４２の前面４２ａにおけるのぞき窓４３より下側の樹脂により形成された領域に当接するように構成されている。
【００７０】
したがって、この最下段の横辺６７（６７ａ）も、ガード部材とグリル扉の前面との離間距離の減少を牽制するスペーサとして機能することになり、ガード部材本体６１とグリル扉４２との間に、より確実に所定の間隙が確保されることになる。
【００７１】
このように、本実施形態の加熱調理器Ａでは、ガード部材本体６１とグリル扉４２の前面との離間距離の減少を牽制するスペーサ７０を備えているので、ガード部材６０を後方に移動させようとする力がガード部材６０に対して作用した場合にも、ガード部材６０（ガード部材本体６１）とグリル扉４２との離間距離が適正に維持され、信頼性が向上する。
【００７２】
また、本実施形態にかかる加熱調理器Ａでは、ガード部材側係合部６２を構成する左右方向辺６５と、一対の前後方向辺６６（６６ａ、６６ｂ）との間に、図３（ａ）に示すように、左右方向辺６５の両端から後方に屈曲した後、湾曲して一対の前後方向辺６６（６６ａ、６６ｂ）に続く部分である屈曲部６９が設けられている。
【００７３】
この屈曲部６９を備えることにより、グリル扉側突出係合部４４が一対の前後方向辺６６（６６ａ、６６ｂ）の間に挿入される際の挿入途中状態において、一対の前後方向辺６６（６６ａ、６６ｂ）が離間するように変形したときに、左右方向辺６５あるいは一対の前後方向辺６６（６６ａ、６６ｂ）が弾性限界を超えて変形してしまうことが抑制され、グリル扉側突出係合部４４が一対の前後方向辺６６（６６ａ、６６ｂ）の間に挿入された後の挿入完了状態において一対の前後方向辺６６（６６ａ、６６ｂ）がより確実、かつ適正に弾性復帰することを可能にすることができる。
【００７４】
なお、本実施形態にかかる加熱調理器Ａでは、ガード部材本体６１とガード部材側係合部６２とが、同一の金属線材により一体に形成されている場合を例に挙げて説明したが、ガード部材本体６１を、樹脂の射出成型品、あるいは、金属板をプレスにより打ち抜き加工したもので形成し、ガード部材側係合部６２は金属線材で形成するようにしてもよい。
【００７５】
本発明は、さらにその他の点においても上記実施形態に限定されるものではなく、本発明の範囲内において種々の変形を加えることが可能である。
【符号の説明】
【００７６】
Ａ          加熱調理器（グリル付きガスコンロ）
１（１ａ、１ｂ）    高火力バーナ
１（１ｃ）          小バーナ１
９          温度検出体（鍋底温度センサ）
１０        器具本体
１２        トッププレート
２１        バーナ操作部
２１ａ、２１ｂ      高火力バーナ操作部
２１ｃ      小バーナ操作部
２２        グリルバーナ操作部
２４        電源スイッチ
３２        コンロバーナ用の付加機能操作・表示部
３３        グリル用の付加機能操作・表示部
３４        手動操作部
４１        グリル庫
４１ａ      開口
４２        グリル扉
４２ａ      グリル扉の前面
４３        のぞき窓
４４        グリル扉側突出係合部
４６        干渉部
４７        収容保持部
４８        左右方向辺嵌入部
５１        五徳
６０        ガード部材
６１        ガード部材本体
６２        ガード部材側係合部
６５        左右方向辺
６６（６６ａ、６６ｂ）  一対の前後方向辺
６７        複数の横辺（横棒）
６７ａ      屈曲した縦辺（縦棒）の上端に懸架された最下段の横辺（横棒）
６７ｂ      屈曲した縦辺（縦棒）の下端に懸架された最下段の横辺（横棒）
６８（６８ａ、６８ｂ）  一対の縦辺（縦棒）
６９        屈曲部
７０        スペーサ
７０ａ      スペーサの上端
７０ｂ      スペーサの下端
７０ｃ      スペーサの上端側の横片
７０ｄ      スペーサの下端側の横片
１０１      コンロ部
１０４      グリル部
【図１】
2019105396.tif 000003
【図２】
2019105396.tif 000004
【図３】
2019105396.tif 000005
【図４】
2019105396.tif 000006